(57)【要約】      （修正有）【課題】低負荷駆動方法、その方法を適用するドライバ集積回路、及びタッチディスプレイシステムを提供する。【解決手段】ドライバ集積回路（ＩＣ）は、タッチ表示パネルに接続される場合、表示モードとタッチ感知モードとで選択的に動作するように構成されている。ドライバＩＣが表示モードで動作するとき、ドライバＩＣは、タッチ表示パネルの複数の共通電圧線を、共通の電圧になるように制御する。ドライバＩＣがタッチ感知モードで動作するとき、特定の共通電圧線が現在のタッチを感知するように配置されているとして、ドライバＩＣは、特定の共通電圧線に対応するタッチ表示パネルの第１のソース線を、又は特定の共通電圧線に隣接する共通電圧線を、特定の共通電圧線上の第１の信号パターンと同じ第１の信号パターンを有するように、又はフローティングするように、制御する。【選択図】図５
2016201089.tif 000002
【特許請求の範囲】
【請求項１】
タッチ表示パネルに接続される場合、表示モードとタッチ感知モードとで選択的に動作するように構成されるドライバ集積回路（ドライバＩＣ）であって、
前記ドライバＩＣが表示モードで動作するとき、前記ドライバＩＣは、前記タッチ表示パネルの複数の共通電圧線を、共通の電圧になるように制御し、
前記ドライバＩＣがタッチ感知モードで動作するとき、特定の共通電圧線が現在のタッチを感知するように配置されているとして、前記ドライバＩＣは、前記特定の共通電圧線に対応する前記タッチ表示パネルの第１のソース線を、又は前記特定の共通電圧線に隣接する共通電圧線を、前記特定の共通電圧線上の第１の信号パターンと同じ第１の信号パターンを有するように、又はフローティングするように、制御する、
ドライバＩＣ。
【請求項２】
前記ドライバＩＣがタッチ感知モードで動作するとき、
前記ドライバＩＣは、前記特定の共通電圧線に対応する前記タッチ表示パネルの前記第１のソース線、及び前記特定の共通電圧線に隣接する共通電圧線が、前記特定の共通電圧線上の第１の信号パターンと同じ第１の信号パターンを有するように、制御する、
請求項１に記載のドライバＩＣ。
【請求項３】
前記ドライバＩＣがタッチ感知モードで動作するとき、
前記ドライバＩＣは、前記特定の共通電圧線に対応する前記タッチ表示パネルの前記第１のソース線、及び前記特定の共通電圧線に隣接する共通電圧線が、フローティングになるように制御する、
請求項１に記載のドライバＩＣ。
【請求項４】
前記ドライバＩＣがタッチ感知モードで動作するとき、
前記ドライバＩＣは、前記特定の共通電圧線に対応する前記タッチ表示パネルのゲート線がフローティングになるように制御する、
請求項１に記載のドライバＩＣ。
【請求項５】
前記ドライバＩＣがタッチ感知モードで動作するとき、第２の信号パターンが第１の信号パターンとは異なっており、前記特定の共通電圧線及び隣接する他方の共通電圧線が前記現在のタッチを感知するように配置されているとして、
前記ドライバＩＣは、前記特定の共通電圧線に隣接する一方の共通電圧線に対応する第２のソース線が、隣接する他方の共通電圧線上の第２の信号パターンと同じ第２の信号パターンを有するように、又は前記第２のソース線がフローティングになるように、制御する、
請求項１に記載のドライバＩＣ。
【請求項６】
共通の電圧を供給するように配置される共通電圧源と、
表示データを記憶するバッファと、
前記共通電圧源及び前記バッファへ接続される多重化回路と、を備え、
前記ドライバＩＣが表示モードで動作するとき、前記多重化回路は、前記表示データを複数のソース線へ出力し、共通の電圧を複数の共通電圧線へ出力し、前記第１のソース線及び共通電圧線を、前記第１の信号パターンを有するように、又はフローティングするように制御する、
請求項１に記載のドライバＩＣ。
【請求項７】
タッチ表示パネル及びドライバ集積回路（ドライバＩＣ）を備えるタッチディスプレイシステムであって、
前記タッチ表示パネルは、
複数のゲート線と、
前記複数のゲート線の上に配置され、複数のソース線と、
前記複数のソース線の上に配置される複数の共通電圧線と、を備えており、
前記複数のソース線と前記複数のゲート線とは交差しており、
前記ドライバＩＣは、前記タッチ表示パネルと接続され、
前記ドライバＩＣは、表示モードとタッチ感知モードとで選択的に動作するように構成され、
前記ドライバＩＣが表示モードで動作するとき、前記ドライバＩＣは、前記タッチ表示パネルの複数の共通電圧線を、共通の電圧になるように制御し、
前記ドライバＩＣがタッチ感知モードで動作するとき、特定の共通電圧線が現在のタッチを感知するように配置されているとして、
前記ドライバＩＣは、前記特定の共通電圧線に対応する、前記タッチ表示パネルの第１のソース線を、又は前記特定の共通電圧線に隣接する共通電圧線を、前記特定の共通電圧線上の第１の信号パターンと同じ第１の信号パターンを有するように、又はフローティングするように、制御する、
タッチディスプレイシステム。
【請求項８】
前記ドライバＩＣがタッチ感知モードで動作するとき、
前記ドライバＩＣは、前記特定の共通電圧線に対応する、前記タッチ表示パネルの第１のソース線、及び前記特定の共通電圧線に隣接する共通電圧線が、特定の共通電圧線上の第１の信号パターンと同じ第１の信号パターンを有するように、制御する、ことを含む、
請求項７に記載のタッチディスプレイシステム。
【請求項９】
前記ドライバＩＣがタッチ感知モードで動作するとき、
前記特定の共通電圧線に対応する、前記タッチ表示パネルの前記第１のソース線、及び前記特定の共通電圧線に隣接する共通電圧線が、フローティングになるように制御する、
請求項７に記載のタッチディスプレイシステム。
【請求項１０】
タッチ感知モードで動作するとき、
前記特定の共通電圧線に対応する前記タッチ表示パネルのゲート線がフローティングになるように制御する、ことを含む、
請求項７に記載のタッチディスプレイシステム。
【請求項１１】
前記ドライバＩＣがタッチ感知モードで動作するとき、第２の信号パターンが第１の信号パターンとは異なっており、前記特定の共通電圧線及び隣接する他方の共通電圧線が現在のタッチを感知するように配置されているとすると、
前記ドライバＩＣは、前記特定の共通電圧線に隣接する一方の共通電圧線に対応する第２のソース線が、隣接する他方の共通電圧線上の第２の信号パターンと同じ第２の信号パターンを有するように、又は前記第２のソース線がフローティングになるように、制御する、
請求項７に記載のタッチディスプレイシステム。
【請求項１２】
共通の電圧を供給するように配置される共通電圧源と、
表示データを記憶するバッファと、
前記共通電圧源及び前記バッファへ接続される多重化回路と、を備えており、
前記ドライバＩＣが表示モードで動作するとき、前記多重化回路は、前記表示データを複数のソース線へ出力し、共通の電圧を複数の共通電圧線へ出力し、前記第１のソース線及び共通電圧線を、第１の信号パターンを有するように、又はフローティングするように制御する、
請求項７に記載のタッチディスプレイシステム。
【請求項１３】
表示モードとタッチ感知モードで選択的に動作するステップを備える、タッチ表示パネルの駆動方法であって、
表示モードで動作するとき、前記タッチ表示パネルの複数の共通電圧線が共通の電圧を持つように制御し、
タッチ感知モードで動作するとき、特定の共通電圧線が現在のタッチを感知するように配置されているとして、前記特定の共通電圧線に対応する前記タッチ表示パネルの第１のソース線を、又は前記特定の共通電圧線に隣接する共通電圧線を、前記特定の共通電圧線上の第１の信号パターンと同じ第１の信号パターンを有するように、又はフローティングにするように、制御する、
タッチ表示パネルの駆動方法。
【請求項１４】
タッチ感知モードで動作するとき、前記特定の共通電圧線に対応する前記タッチ表示パネルの前記第１のソース線、及び前記特定の共通電圧線に隣接する共通電圧線が、前記特定の共通電圧線上の第１の信号パターンと同じ第１の信号パターンを有するように制御する、ことを含む、
請求項１３に記載の駆動方法。
【請求項１５】
タッチ感知モードで動作するとき、前記特定の共通電圧線に対応する前記タッチ表示パネルの前記第１のソース線、及び前記特定の共通電圧線に隣接する共通電圧線がフローティングになるように、制御する、ことを含む、
請求項１３に記載の駆動方法。
【請求項１６】
タッチ感知モードで動作するとき、前記特定の共通電圧線に対応する前記タッチ表示パネルのゲート線がフローティングになるように制御する、ことを含む、
請求項１３に記載の駆動方法。
【請求項１７】
タッチ感知モードで動作するとき、第２の信号パターンが第１の信号パターンとは異なっており、前記特定の共通電圧線及び隣接する他方の共通電圧線が現在のタッチを感知するように配置されているとすると、
前記特定の共通電圧線に隣接する一方の共通電圧線に対応する第２のソース線が、隣接する他方の共通電圧線上の第２の信号パターンと同じ第２の信号パターンを有するように、又は前記第２のソース線がフローティングになるように、制御する、ことを含む、
請求項１３に記載の駆動方法。
【発明の詳細な説明】
【技術分野】
【０００１】
本発明は、駆動方法、特に、低負荷駆動方法、その方法を適用するドライバ集積回路、及びタッチディスプレイシステムに関する。
【０００２】
本出願は、２０１５年４月９日に出願された米国仮出願番号６２／１４４，９４４の利益を主張し、その内容をここに援用する。
【背景技術】
【０００３】
静電容量のタッチ感知の分野では、スマートフォンやタブレットなどの電子デバイスは薄型化、軽量化になってきている。そのため、インジウムスズ酸化物（ＩＴＯ）フィルムからのオンセル、さらにはインセル技術の開発が促進されている。
【発明の概要】
【発明が解決しようとする課題】
【０００４】
インセル技術におけるタッチ表示パネル内の負荷は、ＩＴＯフィルムに比べてはるかに大きいため、感度低下を引き起こす。電子デバイスの画面の解像度が高くなると、さらに、インセル技術におけるタッチドライバＩＣの感知時間が短縮される。したがって、高解像度パネルにインセル技術を実装することは非常に難しかった。
【０００５】
上述の問題を解決するために、本発明の目的の一つは、低負荷駆動方法、その方法を適用するドライバ集積回路、及びタッチディスプレイシステムを提供する。
【課題を解決するための手段】
【０００６】
本発明の実施形態によれば、ドライバＩＣが提案されている。ドライバＩＣは、タッチ表示パネルに接続される場合、表示モードとタッチ感知モードとで選択的に動作するように構成されている。ドライバＩＣが表示モードで動作するとき、ドライバＩＣは、タッチ表示パネルの複数の共通電圧線を、共通の電圧になるように制御する。ドライバＩＣがタッチ感知モードで動作するとき、特定の共通電圧線が現在のタッチを感知するように配置されているとして、ドライバＩＣは、特定の共通電圧線に対応するタッチ表示パネルの第１のソース線を、又は特定の共通電圧線に隣接する共通電圧線を、特定の共通電圧線上の第１の信号パターンと同じ第１の信号パターンを有するように、又はフローティングするように、制御する。
【０００７】
本発明の実施形態によれば、タッチディスプレイシステムが提案されている。タッチ表示パネル及びドライバ集積回路（ドライバＩＣ）を備えるタッチディスプレイシステムである。タッチ表示パネルは、複数のゲート線と、前記複数のゲート線の上に配置される、複数のソース線と、前記複数のソース線の上に配置される複数の共通電圧線と、を備えており、前記複数のソース線と前記複数のゲート線とは交差している。前記ドライバＩＣは、前記タッチ表示パネルと接続される。前記ドライバＩＣは、表示モードとタッチ感知モードとで選択的に動作するように構成されている。前記ドライバＩＣが表示モードで動作するとき、前記ドライバＩＣは、前記タッチ表示パネルの複数の共通電圧線を、共通の電圧になるように制御する。ドライバＩＣがタッチ感知モードで動作するとき、特定の共通電圧線が現在のタッチを感知するように配置されているとして、前記ドライバＩＣは、前記特定の共通電圧線に対応する、前記タッチ表示パネルの第１のソース線を、又は前記特定の共通電圧線に隣接する共通電圧線を、前記特定の共通電圧線上の第１の信号パターンと同じ第１の信号パターンを有するように、又はフローティングするように、制御する。
【０００８】
本発明の実施形態によれば、タッチディスプレイシステムの駆動方法が提案されている。タッチ表示パネルの駆動方法は、表示モードとタッチ感知モードで選択的に動作するステップを備える。表示モードで動作するとき、前記タッチ表示パネルの複数の共通電圧線が共通の電圧を持つように制御する。タッチ感知モードで動作するとき、特定の共通電圧線が現在のタッチを感知するように配置されているとして、前記特定の共通電圧線に対応する前記タッチ表示パネルの第１のソース線を、又は前記特定の共通電圧線に隣接する共通電圧線を、前記特定の共通電圧線上の第１の信号パターンと同じ第１の信号パターンを有するように、又はフローティングにするように、制御する。
【０００９】
本発明のこれらの及び他の目的は、種々の図及び図面に示されている好ましい実施形態の以下の詳細な説明を読んだ後、当業者には明らかなるであろう。
【図面の簡単な説明】
【００１０】
【図１】本発明の実施形態に係るタッチ表示装置を示す図である。
【図２】本発明の実施形態に係る表示パネルの共通電圧の層を示す図である。
【図３】本発明の実施形態に係る共通電圧層の下にソース線とゲート線を示す図である。
【図４】本発明の実施形態に係るタッチ表示装置に適用されるドライバＩＣを示す図である。
【図５】本発明の実施形態に係る低負荷感知方法を示す図である。
【図６】本発明の他の実施形態に係る低負荷感知方法を示す図である。
【図７】本発明のさらに別の実施形態に係る、低負荷感知方法を示す図である。
【図８】表示モードと、本発明の実施形態によるタッチ感知動作のタイミングの構成を示すタイミング図である。
【図９】本発明の実施形態に係る負荷を低減させる方法を示すフローチャートである。
【発明を実施するための形態】
【００１１】
説明全体及び特許請求の範囲において、特定の構成要素を参照するために、複数の用語が用いている。当業者が理解するように、製造業者は、構成要素を異なる名称によって、参照することができる。本明細書において、名称は異なるが機能は異ならない構成要素を区別することを意図していない。用語「含む」及び「備える」は、以下の記載及び請求項において、オープンエンド方式で使用されるため、例えば、「から成る」等のクローズエンド型の用語として解釈されるべきではない。また、用語「接続（coupled）」は、間接的又は直接的な電気的接続を意味することが意図されている。一つのデバイスが他のデバイスに結合されている場合は、それに応じて、その接続は、直接的な電気接続を介して、または他のデバイス及び接続を介した間接的な電気接続を介していてもよい。
【００１２】
図１は、本発明の実施形態に係るタッチディスプレイシステム１００を示す図である。
図１に示すように、タッチディスプレイシステムは、タッチ表示パネル（タッチパネル）１０１と、ドライバ集積回路（Ｉｎｔｅｇｒａｔｅｄ  Ｃｉｒｃｕｉｔ）ＩＣ１０２とを備えている。タッチパネル１０１は、スマートフォン、タブレット、又はタッチパネルを備えた任意の装置などの電子機器に適用することができる。タッチパネル１０１と接続されるドライバＩＣ１０２は、表示モードと、タッチ感知モードとで、選択的に動作することができる。
【００１３】
図２及び図３は、タッチパネル１０１の構成を示す。ここで、図２は、本発明の実施形態に係るタッチパネル１０１の共通電圧層を示す。図２に示すように、共通電圧層は複数の共通電圧部ＣＯＭ１〜ＣＯＭｍに分割されており、複数の各共通電圧部は複数の電圧区間を含む。例えば、共通電圧区間ＣＯＭＳ１１、ＣＯＭＳ１２、・・・、ＣＯＭＳ１ｎは共通電圧部ＣＯＭ１に含まれている。さらに、各共通電圧部の第１の共通電圧区間、例えば、ＣＯＭＳ１１、ＣＯＭＳ２１、・・・、及びＣＯＭＳｍ１は、信号区間ＳＳ１を構成するために一緒に接続されている。同様に、各共通電圧部の第２の共通電圧区間、例えば、ＣＯＭＳ１２、ＣＯＭＳ２２、・・・、及びＣＯＭＳｍ２は、信号区間ＳＳ２を構成するために一緒に接続されている。その他も同様である。複数の信号区間の及び複数の共通電圧部は、ドライバＩＣ１０２へ接続されている。
【００１４】
図３に示すように、タッチパネル１０１は、第１の金属層１と第２の金属層２をさらに備え、共通電圧層の下にある第２の金属層２は、複数のソース線Ｓ１〜Ｓｍを含み、各ソース線は、複数の共通電圧部の１つと実質的に対応している。第１の金属層１は、第２の金属層２の下にあり、ゲート線ｇ１〜ｇｎを含み、図３に示すように、複数のソース線Ｓ１〜Ｓｍと複数のゲート線ｇ１〜ｇｎとは、交差している。さらに、複数のソース線Ｓ１〜Ｓｍ及び複数のゲート線ｇ１〜ｇｎの両方は、ドライバＩＣへ接続されている。
【００１５】
図４は、本発明の実施形態に係るタッチディスプレイシステム１００に適用されるドライバＩＣ１０２を示す図である。ここで、ドライバＩＣ１０２は、多重化回路４０１、共通電圧源４０２、バッファ４０３、及びアナログ処理回路４０４を備えている。
共通電圧源４０２は、共通電圧層、即ち複数の共通電圧部（共通電圧線）、へ共通の電圧を供給するために配置されている。バッファ４０３は、表示データを記憶するように構成されている。アナログ処理回路４０４は、アナログフロントエンド及び複数のアナログデジタルコンバータを備え、複数の信号区間から受信された信号を処理するために配置されている。多重化回路４０１は、共通電圧源４０２、バッファ３０３、及びアナログ処理回路４０４が接続されている。多重化回路４０１は、複数の共通電圧部、複数のゲート線、及びソース線へ出力し、及びそれらから受信する信号を制御するために、配置されている。
【００１６】
ドライバＩＣ１０２が表示モードで動作する場合、ドライバＩＣ１０２は、バッファ４０３に記憶された表示データを、複数のソース線へ送信し、所定の電圧を有するように複数の共通電圧部を制御する。
ドライバＩＣ１０２がタッチ感知モードで動作する場合、ドライバＩＣ１０２は、タッチ感知（接触を検知）するための１又は複数の共通電圧部上の信号を制御する。ここで接触を感知するための１又は複数の共通電圧部の信号は、同じ周波数及び同じ位相を備える同じ信号に、限定されない。
例えば、ドライバＩＣ１０２が、タッチを感知するために共通電圧部ＣＯＭ１、ＣＯＭ２とＣＯＭ５を使用する場合、ドライバＩＣ１０２（より具体的には、アナログ処理回路４０４）は、ＣＯＭ１、ＣＯＭ２、及びＣＯＭ５上に、３つの異なる位相又は異なる周波数の３つの信号を生成することができる。なお、この検出機構は、当業者に知られている。開示の本発明の概念は、タッチ感知モードで、負荷を低減させるための方法に焦点を当てている。従って、タッチディスプレイシステムのための感知機構の詳細は省略する。
【００１７】
従来技術で述べた負荷の問題を解決するために、タッチ感知モードで動作させるためのいくつかの実施形態が開示されている。図５は、本発明の実施形態に係る低負荷感知方法を示す図である。図５に示すように、ドライバＩＣ１０２がタッチ感知モードで動作するとき、共通電圧部ＣＯＭ２はタッチを感知する（現在の接触状態をセンシングする）ために使用される。
共通電圧部ＣＯＭ２から見た静電容量を減少させるために、ドライバＩＣ１０２は、隣接する共通電圧部、即ち共通電圧部ＣＯＭ１及びＣＯＭ３と、対応するソース線及びゲート線、即ちソース線（第１のソース線）Ｓ２及びゲート線ｇ２が、フローティングになる（浮遊状態になる：ｆｌｏａｔｉｎｇ）ように制御する。このように、静電容量（コンデンサ）ＣＣ１、ＣＣ２、ＣＳ２及びＣＧ２は、もはや存在しないので、感度低下が防止される。
【００１８】
図６は、本発明の他の実施形態に係る低負荷感知方法を示す図である。図６に示すように、ドライバＩＣ１０２がタッチ感知モードで動作するとき、共通電圧部ＣＯＭ２はタッチを感知するために使用される。共通電圧部ＣＯＭ２から見た静電容量を減少させるために、ドライバＩＣ１０２は、隣接する共通電圧部、即ち、共通電圧部ＣＯＭ１及びＣＯＭ３、対応するソース線、即ちソース線（第１のソース線）Ｓ２を制御して、信号パターンを、共通電圧部ＣＯＭ２上の信号パターン上の信号と同じになるように制御する。ドライバＩＣ１０２は、対応するゲート線がフローティングになるように制御する。このように、静電容量ＣＣ１、ＣＣ２、ＣＳ２、及びＣＧ２は、もはや存在しないので、感度低下が防止される。
【００１９】
図７は、本発明のさらに別の実施形態に係る、低負荷感知方法を示す図である。本実施形態では、ドライバＩＣ１０２は、タッチ感知モードで動作するとき、共通電圧部ＣＯＭ１、ＣＯＭ２、及びＣＯＭ３は、タッチ感知に用いられる。ここで、接触を感知するための共通電圧部ＣＯＭ３上の信号（第２の信号パターン）は、共通電圧部ＣＯＭ１及びＣＯＭ２上の信号（第１の信号パターン）とは異なるとする。この違いは、信号間の周波数又は信号間の位相であるが、これらに限られない。
図７に示すように、接触を感知するための共通電圧部ＣＯＭ１及びＣＯＭ２の信号が、第１の信号パターンを有し、接触を感知するための共通電圧部ＣＯＭ３の信号が、第２の信号パターンを有しているとき、ドライバＩＣ１０２は、ソース線が、対応する共通電圧部上の信号と同じパターンを持つ信号を有するように制御する。
例えば、ソース線Ｓ１，Ｓ２の夫々は、共通電圧部ＣＯＭ１及びＣＯＭ２上の信号として第１の信号パターンを持つ信号を有している。ソース線（第２のソース線）Ｓ３は、共通電圧部ＣＯＭ３上の信号として第２の信号パターンを持つ信号を有している。ドライバＩＣは、対応するゲート線ｇ１〜ｇ３がフローティングになるように制御する。このように、共通電圧部と対応するソース線との間に静電容量は存在しない。
【００２０】
なお、一般的な電圧部から見た静電容量を低下させるため、上述の実施形態は例示の目的のためであることにすぎないことに留意する。この方法は、上述の実施形態に限定されるものではない。
例えば、ドライバＩＣ１０２は、隣接する共通電圧部がフローティングになるように制御し、タッチを感知するための特定の共通電圧部上の信号と同じパターンの信号を持つ信号を有するように、対応するソース線を制御することができる。
別の例では、ドライバＩＣ１０２は、隣接する共通電圧部のうちの少なくとも一方が、フローティングになるように制御し、残りの共通電圧部（例えば、ある共通電圧部に隣接する一方の共通電圧部）を、タッチを感知するための特定の共通電圧部（例えば、隣接する他方の共通電圧部）上の信号と同じパターンの信号を持つ信号を有するように、制御してもよい。当業者は、上述の段落を読んだ後、これらの代替的な実施形態を理解しうるであろう。タッチを感知するための特定の共通電圧部から見た静電容量を低減するために、ドライバＩＣが、共通電圧部及び対応するソース線を制御する限り、これらの代替的な実施形態は、本発明の範囲に含まれるであろう。
【００２１】
図８は、本発明の実施形態に係る、表示モードとタッチ感知動作とのタイミングの構成を示すタイミング図である。図８に示すように、各フレームにおいて、表示モードは、時間期間のある部分期間を占め、タッチ感知モードは、時間の残りの部分を占める。本実施形態では、各フレームにおいて、表示モードは、第１のフレーム期間の６６％を占め、タッチ感知モードは、その周期の３４％を占める。表示モード及びタッチ感知モードの長さは、例示目的のためにここで示しており、本発明では限定するものではない。最適な性能を達成することができる任意の適切な長さは、本発明の範囲内に入っている。
【００２２】
図９は、本発明の実施形態に係る、負荷を低減させる方法を示すフローチャートである。
ここで、結果は実質的に同じである場合、ステップは、図９に示す正確な順序で実行する必要はない。次のようにフロー（駆動方法）を説明することができる。
【００２３】
ステップＳ９００：開始
ステップＳ９０２：ドライバＩＣは、表示モードで動作し、共通の電圧を有するように複数の共通電圧部（共通電圧線）を制御し、表示データを共通電圧部の下にある複数のソース線へ出力する。フローはステップＳ９０４に進む。
【００２４】
ステップＳ９０４：ドライバＩＣは、タッチ感知モードで動作し、特定の共通電圧部上の信号のパターンと同じパターンを持つ信号を有するように、又はフローティングする（になる）ように、対応するソース線及び隣接する共通電圧部を制御する。フローはステップＳ９０２に戻る。
【００２５】
簡潔に要約すると、本発明は、特定の共通電圧線上の信号と同じパターンになるように、又はフローティングにするように、隣接する共通電圧部と対応するソース線上の信号を制御することによって、タッチを感知するための特定の共通電圧部から見た負荷を低減させるための方法が開示されている。
【００２６】
当業者は、本発明の教示を維持しながら、多くの修正及び装置及び方法の変更がなされ得ることを遵守する。したがって、添付の特許請求の範囲の土地境界によってのみ限定されるものとして、上記の開示は、解釈されるべきである。
【図１】
2016201089.tif 000003
【図２】
2016201089.tif 000004
【図３】
2016201089.tif 000005
【図４】
2016201089.tif 000006
【図５】
2016201089.tif 000007
【図６】
2016201089.tif 000008
【図７】
2016201089.tif 000009
【図８】
2016201089.tif 000010
【図９】
2016201089.tif 000011
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
タッチ表示パネルに接続される場合、表示モードとタッチ感知モードとで選択的に動作するように構成されるドライバ集積回路（ドライバＩＣ）であって、
前記ドライバＩＣが表示モードで動作するとき、前記ドライバＩＣは、前記タッチ表示パネルの複数の共通電圧線を、共通の電圧になるように制御し、
前記ドライバＩＣがタッチ感知モードで動作するとき、特定の共通電圧線が現在のタッチを感知するように配置されているとして、前記ドライバＩＣは、前記特定の共通電圧線に対応する前記タッチ表示パネルの第１のソース線を、及び前記特定の共通電圧線に隣接する共通電圧線を、前記特定の共通電圧線上の第１の信号パターンと同じ第１の信号パターンを有するように制御する、
ドライバＩＣ。
【請求項２】
前記ドライバＩＣがタッチ感知モードで動作するとき、
前記ドライバＩＣは、前記特定の共通電圧線に対応する前記タッチ表示パネルの前記第１のソース線、及び前記特定の共通電圧線に隣接する共通電圧線が、フローティングになるように制御する、
請求項１に記載のドライバＩＣ。
【請求項３】
前記ドライバＩＣがタッチ感知モードで動作するとき、
前記ドライバＩＣは、前記特定の共通電圧線に対応する前記タッチ表示パネルのゲート線がフローティングになるように制御する、
請求項１に記載のドライバＩＣ。
【請求項４】
前記ドライバＩＣがタッチ感知モードで動作するとき、第２の信号パターンが第１の信号パターンとは異なっており、前記特定の共通電圧線及び隣接する他方の共通電圧線が前記現在のタッチを感知するように配置されているとして、
前記ドライバＩＣは、前記特定の共通電圧線に隣接する一方の共通電圧線に対応する第２のソース線が、隣接する他方の共通電圧線上の第２の信号パターンと同じ第２の信号パターンを有するように、又は前記第２のソース線がフローティングになるように、制御する、
請求項１に記載のドライバＩＣ。
【請求項５】
共通の電圧を供給するように配置される共通電圧源と、
表示データを記憶するバッファと、
前記共通電圧源及び前記バッファへ接続される多重化回路と、を備え、
前記ドライバＩＣが表示モードで動作するとき、前記多重化回路は、前記表示データを複数のソース線へ出力し、共通の電圧を複数の共通電圧線へ出力し、前記第１のソース線及び共通電圧線を、前記第１の信号パターンを有するように、又はフローティングするように制御する、
請求項１に記載のドライバＩＣ。
【請求項６】
タッチ表示パネル及びドライバ集積回路（ドライバＩＣ）を備えるタッチディスプレイシステムであって、
前記タッチ表示パネルは、
複数のゲート線と、
前記複数のゲート線の上に配置され、複数のソース線と、
前記複数のソース線の上に配置される複数の共通電圧線と、を備えており、
前記複数のソース線と前記複数のゲート線とは交差しており、
前記ドライバＩＣは、前記タッチ表示パネルと接続され、
該ドライバＩＣがタッチ表示パネルに接続されるときに、前記ドライバＩＣは、表示モードとタッチ感知モードとで選択的に動作するように構成され、
前記ドライバＩＣが表示モードで動作するとき、前記ドライバＩＣは、前記タッチ表示パネルの複数の共通電圧線を、共通の電圧になるように制御し、
前記ドライバＩＣがタッチ感知モードで動作するとき、特定の共通電圧線が現在のタッチを感知するように配置されているとして、
前記ドライバＩＣは、前記特定の共通電圧線に対応する、前記タッチ表示パネルの第１のソース線を、及び前記特定の共通電圧線に隣接する共通電圧線を、前記特定の共通電圧線上の第１の信号パターンと同じ第１の信号パターンを有するように制御する、
タッチディスプレイシステム。
【請求項７】
前記ドライバＩＣがタッチ感知モードで動作するとき、
前記特定の共通電圧線に対応する、前記タッチ表示パネルの前記第１のソース線、及び前記特定の共通電圧線に隣接する共通電圧線が、フローティングになるように制御する、
請求項６に記載のタッチディスプレイシステム。
【請求項８】
前記ドライバＩＣがタッチ感知モードで動作するとき、
前記特定の共通電圧線に対応する前記タッチ表示パネルのゲート線がフローティングになるように制御する、ことを含む、
請求項６に記載のタッチディスプレイシステム。
【請求項９】
前記ドライバＩＣがタッチ感知モードで動作するとき、第２の信号パターンが第１の信号パターンとは異なっており、前記特定の共通電圧線及び隣接する他方の共通電圧線が現在のタッチを感知するように配置されているとすると、
前記ドライバＩＣは、前記特定の共通電圧線に隣接する一方の共通電圧線に対応する第２のソース線が、隣接する他方の共通電圧線上の第２の信号パターンと同じ第２の信号パターンを有するように、又は前記第２のソース線がフローティングになるように、制御する、
請求項６に記載のタッチディスプレイシステム。
【請求項１０】
共通の電圧を供給するように配置される共通電圧源と、
表示データを記憶するバッファと、
前記共通電圧源及び前記バッファへ接続される多重化回路と、を備えており、
前記ドライバＩＣが表示モードで動作するとき、前記多重化回路は、前記表示データを複数のソース線へ出力し、共通の電圧を複数の共通電圧線へ出力し、前記第１のソース線及び共通電圧線を、第１の信号パターンを有するように、又はフローティングするように制御する、
請求項６に記載のタッチディスプレイシステム。
【請求項１１】
表示モードとタッチ感知モードで選択的に動作するステップを含む、タッチ表示パネルの駆動方法であって、
表示モードで動作するとき、前記タッチ表示パネルの複数の共通電圧線が共通の電圧を持つように制御し、
タッチ感知モードで動作するとき、特定の共通電圧線が現在のタッチを感知するように配置されているとして、前記特定の共通電圧線に対応する前記タッチ表示パネルの第１のソース線を、及び前記特定の共通電圧線に隣接する共通電圧線を、前記特定の共通電圧線上の第１の信号パターンと同じ第１の信号パターンを有するように制御する、
タッチ表示パネルの駆動方法。
【請求項１２】
タッチ感知モードで動作するとき、前記特定の共通電圧線に対応する前記タッチ表示パネルの前記第１のソース線、及び前記特定の共通電圧線に隣接する共通電圧線がフローティングになるように、制御する、ことを含む、
請求項１１に記載の駆動方法。
【請求項１３】
タッチ感知モードで動作するとき、前記特定の共通電圧線に対応する前記タッチ表示パネルのゲート線がフローティングになるように制御する、ことを含む、
請求項１１に記載の駆動方法。
【請求項１４】
タッチ感知モードで動作するとき、第２の信号パターンが第１の信号パターンとは異なっており、前記特定の共通電圧線及び隣接する他方の共通電圧線が現在のタッチを感知するように配置されているとすると、
前記特定の共通電圧線に隣接する一方の共通電圧線に対応する第２のソース線が、隣接する他方の共通電圧線上の第２の信号パターンと同じ第２の信号パターンを有するように、又は前記第２のソース線がフローティングになるように、制御する、ことを含む、
請求項１１に記載の駆動方法。